(57)【要約】【課題】ストロボユニットがカメラ本体に収納されている状態において、ストロボユニットとカメラ本体の外装部材との間の隙間が目立つのを防止すると共に、ストロボユニットの高さ方向の剛性を向上させることが可能なカメラを提供する。【解決手段】ストロボユニット２は、収納位置と発光位置との間を回動可能にカメラ本体に軸支され、カメラ本体の外装部材である前カバー５は、被写体の方向に膨出した膨出部７を有している。ストロボユニット２のストロボカバー３の両側面は、その上面に対して略垂直な方向に形成されると共に、膨出部７に対応する側面部３０ａ、３０ｂは、ストロボユニット２が収納位置に係止された状態において膨出部７の側面部３１ａ、３１ｂを覆うように延伸されている。【選択図】      図７
2005062267.tif 000002
【特許請求の範囲】
【請求項１】
収納位置と発光位置との間を回動可能にカメラ本体に軸支されたストロボユニットと、前記カメラ本体の外装部材が被写体の方向に膨出した膨出部を有するカメラにおいて、
前記ストロボユニットの両側面は、その上面に対して略垂直な方向に形成されると共に、前記膨出部に対応する両側面部は、該ストロボユニットが収納位置に係止された状態において該膨出部の両側面部を覆うように延伸されていることを特徴とするカメラ。
【請求項２】
ストロボユニットを発光位置の方向に付勢する付勢手段と、該付勢手段の付勢力に抗して該ストロボユニットを収納位置に係止する係止手段とをゆすることを特徴とする請求項１記載のカメラ。
【請求項３】
前記付勢手段は、コイルバネにより構成されていることを特徴とする請求項１又は２記載のカメラ。
【請求項４】
前記カメラは、レンズ交換式のカメラであることを特徴とする請求項１〜３の何れかに記載のカメラ。
【発明の詳細な説明】
【０００１】
【発明の属する技術分野】
本発明は、ストロボユニットを内蔵したストロボ内蔵カメラに関し、特にストロボユニットがカメラ本体に回動可能に軸支されたストロボ内蔵カメラに関する。
【０００２】
【従来の技術】
従来、ストロボ装置として、ストロボ発光管を含むストロボユニットを回動可能にカメラ本体に軸支し、リトラクタブル機構、或いはポップアップ機構などにより、カメラ本体内の収納位置からカメラ本体から突出した発光位置に回動させるものが知られている。この種のストロボ装置では、ストロボユニットを回動させるための動力源としては、一般的に、バネやモータ等が用いられる。
【０００３】
ストロボ発光管からのストロボ光で撮影を行うにあたって、人物を近距離で正面から撮影する場合に、人物の瞳孔が赤く撮影されてしまうという、いわゆる赤目現象を生じる惧れがあることは周知の通りである。このような赤目現象は、カメラの撮影レンズとストロボ発光管との光軸が接近している場合に著しく発生し、この赤目現象を防止するためには、撮影レンズとストロボ発光管の間隔を極力大きくすることが必要である。
【０００４】
また、レンズ交換式カメラにおいては、様々な撮影レンズがカメラ本体に装着されることがあり、ストロボ発光管からのストロボ光が撮影レンズによって遮られて、撮影画像の一部分に影が生じる可能性があるため、この観点からも撮影レンズとストロボ発光管との間隔を極力大きくすることが必要である。
【０００５】
上記の回動可能に軸支されたストロボユニットでは、撮影レンズとストロボ発光管との間隔を大きくするために、ストロボユニットがカメラ本体内に収納されているときに、ストロボユニット、特にストロボ発光管が、カメラ本体から前方に突出した構成を採ることもよく知られている。
【０００６】
このような構成を持つ従来のストロボ内蔵式カメラの斜視図を、図８と図９に示す。図８は、ストロボユニットが収納されている状態、図９は、ストロボユニットが発光位置に位置している状態を示している。
【０００７】
図８、図９において、１０１はカメラ本体、１０２はストロボユニットである。ストロボユニット１０２は、ストロボカバー１０３、ストロボ発光パネル１０４、ストロボケース１０５を有している。１０６はカメラの前カバーである。１０７は、前カバー１０５の一部であって、略ひさし状に膨出された膨出部である。
【０００８】
尚、適当な先行技術文献情報は見当たらない。
【０００９】
【発明が解決しようとする課題】
しかしながら、上記の従来の構成では、図８に示すストロボユニット１０２がカメラ本体１０１に収納されている状態においては、ストロボカバー１０３、前カバー１０６等の部品の製造公差や、組立作業におけるばらつき等により、ストロボカバー１０３と前カバー１０６（特に膨出部１０７）との間の隙間が目立ち、外観を損ねる惧れがあった。また、発生した隙間からゴミが侵入し、カメラ内部の部品に悪影響を及ぼす可能性もあった。
【００１０】
さらに、ストロボユニット１０２は、円滑に回動するためには、高い剛性が要求されるが、カメラのデザイン上、ストロボユニット１０２の高さを十分に確保することが難しいため、剛性、特に上下方向（高さ方向）の剛性が不足しがちになるという問題点もあった。
【００１１】
そこで、本発明は、ストロボユニットがカメラ本体に収納されている状態において、ストロボユニットとカメラ本体の外装部材との間の隙間が目立つのを防止すると共に、ストロボユニットの高さ方向の剛性を向上させることが可能なカメラを提供することを目的とする。
【００１２】
【課題を解決するための手段】
上記課題を解決するため、本発明は、収納位置と発光位置との間を回動可能にカメラ本体に軸支されたストロボユニットと、前記カメラ本体の外装部材が被写体の方向に膨出した膨出部を有するカメラにおいて、前記ストロボユニットの両側面は、その上面に対して略垂直な方向に形成されると共に、前記膨出部に対応する両側面部は、該ストロボユニットが収納位置に係止された状態において該膨出部の両側面部を覆うように延伸されている。
【００１３】
【発明の実施の形態】
以下、本発明の実施の形態を図面に基づいて詳細に説明する。
【００１４】
図１、図２は本発明の実施形態に係るカメラの斜視図である。なお、本実施形態では、レンズ交換可能な一眼レフカメラを想定している。また、図１は、ストロボユニットが収納位置に位置している状態を示し、図２は、ストロボユニットが発光位置に位置している状態を示している。
【００１５】
図３、図４は、図１、図２に示すカメラの側面図であり、図３は、ストロボユニットが収納位置に位置している状態を示し、図４は、ストロボユニットが発光位置に位置している状態を示している。
【００１６】
また、図５は、ストロボユニットを分解した状態を示す分解図であり、図６は、ストロボユニットを組立てた状態を示す上面図である。図７は、図３のＡ−Ａ断面図である。
【００１７】
図１、２において、１はカメラ本体、２はストロボユニット、３はストロボユニット２の外装部材であるストロボカバー、４はストロボパネル、５はカメラ本体１の外装部材である前カバー、６はカメラ本体１の外装部材である上カバーである。
【００１８】
前カバー５には、ストロボユニット２が収納位置に位置している際に、ストロボパネル４が露出しないようにするため、ストロボパネル４と対向するようにカメラ前方に略ひさし状に膨出した膨出部７が設けられている（図４参照）。
【００１９】
ストロボユニット２は、図３〜図６に示したように構成されている。すなわち、ストロボユニット２の基本構造体であるストロボケース１０は、支持軸１１ａと１１ｂに連結して上カバー６に回動可能に軸支され、支持軸１１ａと１１ｂを中心とする回動運動により、図３で示す収納位置と図４で示す発光位置との間をアップダウン動作することが可能となっている。
【００２０】
ストロボユニット２は、バネ１２により発光位置の方向に常時付勢されている。なお、本実施形態では、体バネ１２は、「コ」の字状のストロボケース１０の片側だけに設けているが、両側に設けることも可能である。また、本実施形態では、バネ１２として、捩りコイルバネを用いているが、他の種類のバネ（コイルバネ、板バネ、竹の子バネ等）を用いることも可能である。
【００２１】
ストロボケース１０には、緊定係止板１４が設けられ、この緊定係止板１４に緊定フック１３が係止されることにより、ストロボユニット２は収納位置に固定される。緊定フック１３は、回動可能に上カバー６に軸支されており、ストロボユニット２を発光位置に移動させる際には、ソレノイド１５に通電して緊定フック１３を回動させて緊定係止板１４から退避させることにより、バネ１２の付勢力によりストロボユニット２を回動させている。
【００２２】
なお、本実施形態においては、緊定フック１３と緊定係止板１４とは、ストロボユニット２の発光光軸に対してバネ１２と同じ側に設けているので、緊定フック１３と緊定係止板１４をバネ１２と反対側に設けた場合のように、収納状態でストロボケース１０がバネ１２の付勢力と緊定フック１３及び緊定係止板１４の係止力により捩れることはない。
【００２３】
ストロボ発光ユニット２０は、ストロボ発光管であるキセノン管２１とストロボ反射笠２２とストロボパネル４で構成されている。キセノン管２１は、略円筒状の形状であり、支持軸１１ａと１１ｂからなる回動軸方向と略平行に配置されている。２３はトリガーコイルである。キセノン管２１とトリガーコイル２３は、各々２本の不図示のリード線でカメラ本体１の不図示の制御回路に接続され、トリガーコイル２３が発する発光トリガー信号は、ストロボ反射笠２２に直接印加される。ストロボパネル４は、キセノン管２１から発光されたストロボ光およびストロボ反射笠２２からの反射光を透過するように形成されている。
【００２４】
図６において、１６ａ，１６ｂはガイドアームである（図２、図４、図５も適宜参照）。このガイドアーム１６ａ，１６ｂの前部（被写体側）は、ガイドアーム取付けビス３０ａ，３０ｂにより、上カバー６に回動可能に軸支されている。また、ガイドアーム１６ａ，１６ｂの中央から後部にかけては湾曲した長穴部１７ａ，１７ｂが形成され、この湾曲した長穴部１７ａ，１７ｂには、ストロボケース１０に設けられたガイドピン１８ａ，１８ｂが摺動可能に勘合されている。
【００２５】
ガイドピン１８ａ，１８ｂは、バネ１２の付勢力によりストロボユニット２が回動するに連れて、ガイドアーム１６ａ，１６ｂに形成された長穴部１７ａ、１７ｂの前部から後部に移動していき、後端に当接して移動を停止する。この停止位置がストロボユニット２の発光位置となる。
【００２６】
ところで、ストロボユニット２は、バネ１２により発光位置の方向に常に付勢されており、収納位置では、緊定フック１３により係止されているが、ストロボカバー３、前カバー５、上カバー７、緊定フック１３等の部品の製造誤差、組付け誤差等により、ストロボユニット２の係止位置がばらつく場合がある。
【００２７】
このように、ストロボユニット２の係止位置がばらついた場合、従来は、ストロボカバー３と前カバー５（特に膨出部７）との間の隙間が目立ち、外観を損ねる惧れがあり、さらに、発生した隙間からゴミが侵入し、カメラ内部の部品に悪影響を及ぼす可能性もあった。
【００２８】
しかし、本実施形態では、図７に示すように、ストロボカバー３の両側面のうち、膨出部７に対応する側面部３０ａ、３０ｂは、ストロボユニット２が係止された状態において膨出部７の側面部３１ａ、３１ｂに接近して、該側面部３１ａ、３１を覆うように延伸されている（図１〜図５も適宜参照）。
【００２９】
このため、本実施形態では、ストロボユニット２の係止位置がばらついたとしても、ストロボカバー３の側面部３０ａ、３０ｂと前カバー５の膨出部７の側面部３１ａ、３１ｂとの間の隙間が目立つことはなく、外観を損ねることもなく、ゴミの侵入を防止することもできる。
【００３０】
また、ストロボユニット２の剛性、特に係止状態でカメラの上下方向となる方向（高さ方向）の剛性については、ストロボカバー３の両側面は、ストロボカバー３の上面に対して略垂直な方向に形成され、さらに、膨出部７に対応する側面部３０ａ、３０ｂは、上記の垂直な方向に延伸されているため、剛性が向上されている。
【００３１】
すなわち、デザイン上の制約となるストロボユニット２の断面高さを徒らに増加させることなく、ストロボユニット２の剛性を向上させている。
【００３２】
なお、本発明は、上記の実施形態に限定されることなく、例えば、バネではなくモータを用いてストロボユニットを回動させることも可能である。
【００３３】
【発明の効果】
以上説明したように、本発明によれば、ストロボユニットがカメラ本体に収納されている状態において、ストロボユニットとカメラ本体の外装部材との間の隙間が目立つのを防止すると共に、ストロボユニットの高さ方向の剛性を向上させることが可能なカメラを実現することができる。
【図面の簡単な説明】
【図１】本発明の実施形態に係るカメラの斜視図である（ストロボユニットは収納位置）。
【図２】上記カメラの斜視図である（ストロボユニットは発光位置）。
【図３】上記カメラの側面図である（ストロボユニットは収納位置）。
【図４】上記カメラの側面図である（ストロボユニットは発光位置）。
【図５】ストロボユニットを分解した状態を示す分解図である
【図６】ストロボユニットを組立てた状態を示す上面図である。
【図７】図３のＡ−Ａ断面図である。
【図８】従来のカメラの斜視図である（ストロボユニットは収納位置）。
【図９】従来のカメラの斜視図である（ストロボユニットは発光位置）。
【符号の説明】
１…カメラ本体
２…ストロボユニット
３…ストロボカバー
５…前カバー
６…上カバー
７…前カバーの膨出部
１０…ストロボケース
１１ａ、１１ｂ…支持軸
１２…バネ
１３…緊定フック
１４…緊定係止板
１５…ソレノイド
３０ａ，３０ｂ…ストロボカバーの側面部
３１ａ，３１ｂ…膨出部の側面部
【図１】
2005062267.tif 000003
【図２】
2005062267.tif 000004
【図３】
2005062267.tif 000005
【図４】
2005062267.tif 000006
【図５】
2005062267.tif 000007
【図６】
2005062267.tif 000008
【図７】
2005062267.tif 000009
【図８】
2005062267.tif 000010
【図９】
2005062267.tif 000011